(57)【要約】【課題】扁平なキャビネットの内部にメインディスプレイ３１とサブディスプレイ３２とが背中合わせに配置されている携帯型電子機器において、サブディスプレイの損傷を防止する。【解決手段】本発明に係る携帯型電子機器においては、メインディスプレイ３１とサブディスプレイ３２を保持するフレーム４に、サブディスプレイ３２の外周壁に沿って伸びるリブが突設され、該リブには、サブディスプレイ３２から引き出されたフレキシブルリード３３を通過させるための欠落部が形成されている。又、キャビネット半体２３の内面には、前記リブの欠落部に跨って伸びる棒状の補強部材５が取り付けられている。一方、フレーム４には、補強部材５を受け止めるための複数の座４３、４４が形成されている。【選択図】　　　図４
2004096293.tif 000002
【特許請求の範囲】
【請求項１】
扁平なキャビネットの内部に、メインディスプレイ（３１）とサブディスプレイ（３２）とがフレーム（４）に保持されて、互いに背中合わせの姿勢に配置されている携帯型電子機器において、フレーム（４）には、サブディスプレイ（３２）の外周壁に沿って伸びるリブ（４１）が突設され、該リブ（４１）には、サブディスプレイ（３２）から引き出されたフレキシブルリード（３３）を通過させるための欠落部が形成され、キャビネットの内面には、前記リブ（４１）の欠落部に跨って伸びる棒状の補強部材（５）が取り付けられ、フレーム（４）には、補強部材（５）を受け止めるための複数の座（４３）（４４）が形成され、フレキシブルリード（３３）は、補強部材（５）とフレーム（４）の対向面間を通過して伸びていることを特徴とする携帯型電子機器。
【請求項２】
フレーム（４）のリブ（４１）は、サブディスプレイ（３２）の４辺の外周壁の内、３辺の外周壁に沿って伸び、残りの１辺の外周壁に対向して、前記欠落部が形成され、補強部材（５）は、前記１辺の外周壁の一方の端部の近傍位置から他方の端部の近傍位置まで伸びている請求項１に記載の携帯型電子機器。
【請求項３】
フレーム（４）は、サブディスプレイ（３２）が設置された第１領域と、該第１領域に続く第２領域とを有し、第１領域のサブディスプレイ（３２）から第２領域へ向かって前記フレキシブルリード（３３）が引き出され、補強部材（５）は、第２領域の第１領域側の端部に対向して配置されている請求項１又は請求項２に記載の携帯型電子機器。
【請求項４】
補強部材（５）と複数の座（４３）（４４）との間には僅かな隙間が形成され、外力の作用によるキャビネットの変形に伴って補強部材（５）が複数の座（４３）（４４）に当接する請求項１乃至請求項３の何れかに記載の携帯型電子機器。
【発明の詳細な説明】
【０００１】
【発明の属する技術分野】
本発明は、折り畳み式携帯電話機の如く、メインディスプレイとサブディスプレイを具えた携帯型電子機器に関するものである。
【０００２】
【従来の技術】
図１及び図２に示す如く、折り畳み式携帯電話機においては、複数の入力キー（１１）が配列された本体（１）と、メインスクリーン（２１）及びサブスクリーン（２２）を具えた蓋体（２）とが、ヒンジ機構（３）を介して互いに連結され、開閉が可能となっている。
メインスクリーン（２１）の内側にはメインディスプレイが配置される一方、サブスクリーン（２２）の内側にはサブディスプレイが配置されており、蓋体（２）を開いた状態ではメインスクリーン（２１）によって、蓋体（２）を閉じた状態ではサブスクリーン（２２）によって、入力文字の表示や着信の報知等、各種情報の表示が行なわれる。
【０００３】
【発明が解決しようとする課題】
この様な折り畳み式携帯電話機においては、蓋体（２）を構成するキャビネットの内部に、それぞれ液晶表示器からなるメインディスプレイとサブディスプレイとが背中合わせの姿勢に配置されることになる。
該折り畳み式携帯電話機においては、図２に示す如く蓋体（２）を閉じた状態で、蓋体（２）の表面に大きな押圧力が作用すると、蓋体（２）のキャビネットは樹脂製で容易に変形するため、サブスクリーン（２２）の内側に配置されたサブディスプレイに直接荷重が作用して、サブディスプレイを構成する液晶表示器に割れが発生する虞があった。
【０００４】
そこで本発明の目的は、外力が作用してもサブディスプレイが損傷を受ける虞のない携帯型電子機器を提供することである。
【０００５】
【課題を解決する為の手段】
本発明に係る携帯型電子機器においては、扁平なキャビネットの内部に、メインディスプレイ（３１）とサブディスプレイ（３２）とがフレーム（４）に保持されて、互いに背中合わせの姿勢に配置されている
フレーム（４）には、サブディスプレイ（３２）の外周壁に沿って伸びるリブ（４１）が突設され、該リブ（４１）には、サブディスプレイ（３２）から引き出されたフレキシブルリード（３３）を通過させるための欠落部が形成されている。
キャビネットの内面には、前記リブ（４１）の欠落部に跨って伸びる棒状の補強部材（５）が取り付けられている。又、フレーム（４）には、補強部材（５）を受け止めるための複数の座（４３）（４４）が形成されている。フレキシブルリード（３３）は、補強部材（５）とフレーム（４）の対向面間を通過して伸びている。
尚、補強部材（５）は、キャビネットの材質よりも大きな強度を有する材質、例えばステンレス鋼等の金属を用いて形成することが出来る。又、フレーム（４）についても、例えば金属製とすることが出来る。
【０００６】
上記本発明の携帯型電子機器において、サブディスプレイ（３２）から伸びるフレキシブルリード（３３）は、リブ（４１）の欠落部を通過して、リブ（４１）の外側に配置された電子回路へ繋がっており、該フレキシブルリード（３３）によってサブディスプレイ（３２）に対する駆動信号の供給が行なわれる。
サブディスプレイ（３２）は、フレーム（４）に突設されたリブ（４１）によって包囲されているため、該リブ（４１）によってサブディスプレイ（３２）の強度が補われる。但し、リブ（４１）の欠落部については、リブ（４１）による補強の効果が得られない。しかし、本発明の携帯型電子機器においては、リブ（４１）の欠落部に補強部材（５）が配置され、フレーム（４）の座（４３）（４４）上に支持されているので、キャビネットの外側からリブ（４１）の欠落部に向けて大きな外力が作用したとしても、該外力は補強部材（５）によって受け止められる。従って、キャビネットが大きく変形してサブディスプレイ（３２）が直接に荷重を受けることはない。
【０００７】
具体的構成において、フレーム（４）のリブ（４１）は、サブディスプレイ（３２）の４辺の外周壁の内、３辺の外周壁に沿って伸び、残りの１辺の外周壁に対向して前記欠落部が形成され、補強部材（５）は、前記１辺の外周壁の一方の端部の近傍位置から他方の端部の近傍位置まで伸びている。
これによって、サブディスプレイ（３２）は、その４辺の外周壁の内、３辺の外周壁がフレーム（４）のリブ（４１）によって補強され、残りの１辺の外周壁が補強部材（５）によって補強されることになる。
【０００８】
更に具体的には、フレーム（４）は、サブディスプレイ（３２）が設置された第１領域と、該第１領域に続く第２領域とを有し、第１領域のサブディスプレイ（３２）から第２領域へ向かって前記フレキシブルリード（３３）が引き出され、補強部材（５）は、第２領域の第１領域側の端部に対向して配置されている。
該具体的構成においては、フレーム（４）の第１領域と第２領域の境界部分がキャビネットの中央部に対応し、外力の作用によって最も変形し易い部分となる。しかし、該具体的構成においては、該中央部の近傍位置に補強部材（５）が配置されているので、該中央部に作用する外力は補強部材（５）によって受け止められる。従って、サブディスプレイ（３２）が外力の作用によって損傷を受ける虞はない。
【０００９】
【発明の効果】
本発明に係る携帯型電子機器においては、キャビネットに大きな外力が作用しても該外力は補強部材によって受け止められるので、サブディスプレイが損傷を受ける虞はない。
【００１０】
【発明の実施の形態】
以下、本発明を折り畳み式携帯電話機に実施した形態につき、図面に沿って具体的に説明する。
本発明に係る折り畳み式携帯電話機においては、図１及び図２に示す如く、複数の入力キー（１１）が配列された本体（１）と、メインスクリーン（２１）及びサブスクリーン（２２）を具えた蓋体（２）とが、ヒンジ機構（３）を介して互いに連結され、本体（１）に対して蓋体（２）の開閉が可能となっている。
【００１１】
蓋体（２）は、図３及び図５に示す如く、一対のキャビネット半体（２３）（２４）を組み合わせて扁平なキャビネットを構成しており、該キャビネットの内部にディスプレイアセンブリ（３）が収容されている。
【００１２】
ディスプレイアセンブリ（３）は、図７及び図８に示す如く、金属製フレーム（４）の表面にサブディスプレイ（３２）を設置すると共に、フレーム（４）の背面にメインディスプレイ（３１）を設置して構成されている。
フレーム（４）の表面は、サブディスプレイ（３２）が設置された第１領域と該第１領域に続く第２領域を有し、第１領域のサブディスプレイ（３２）から第２領域へ向かってフレキシブルリード（３３）が引き出され、該フレキシブルリード（３３）の先端部には、サブディスプレイ（３２）を動作させるための複数の電子部品が搭載されている。
【００１３】
図８の如く、フレーム（４）の表面には、サブディスプレイ（３２）の４辺の外周壁の内、前記第２領域に面する１辺の外周壁を除く他の３辺の外周壁に沿って、リブ（４１）が突設され、該リブ（４１）は、前記１辺の外周壁に対向する部分が欠落している。サブディスプレイ（３２）から引き出されたフレキシブルリード（３３）は、リブ（４１）の欠落部を通過して前記第２領域へ伸びている。
又、メインディスプレイ（３１）から引き出されたフレキシブルリード（３４）は、フレーム（４）の背面に沿って伸び、その先端部には、メインディスプレイ（３１）を動作させるための複数の電子部品が搭載されている。
【００１４】
図６に示す如く、サブスクリーン（２２）を具えたキャビネット半体（２３）の内面には、前記リブ（４１）の欠落部に跨って伸びるステンレス鋼製の補強部材（５）が設置され、その両端部が、キャビネット半体（２３）に設けた一対の係止部（２５）（２５）によって係止されている。
該補強部材（５）は、図５，図７及び図８に示す如く断面Ｕ字状の軸体であって、フレーム（４）のリブ（４１）の欠落部に跨って、サブディスプレイ（３２）の前記１辺の外周壁の一方の端部から他方の端部まで伸びている。
【００１５】
又、フレーム（４）の表面には、補強部材（５）の両端部を受け止めることが可能な４つの座（４３）（４４）（４３）（４４）が突設されている（図４参照）。尚、無荷重の状態で、補強部材（５）と４つの座（４３）（４４）（４３）（４４）との間には僅かな隙間が形成される。
【００１６】
図４に示す如く、サブディスプレイ（３２）から伸びるフレキシブルリード（３３）は、補強部材（５）とフレーム（４）の対向面間を通過して、フレーム（４）の第２領域へ向かって伸びている。
【００１７】
上記折り畳み式携帯電話機において、サブディスプレイ（３２）は、その４辺の外周壁の内、３辺の外周壁がフレーム（４）のリブ（４１）によって補強され、リブ（４１）の欠落部に対向する残りの１辺の外周壁が補強部材（５）によって補強されることになる。
従って、図２に示されるように蓋体（２）が閉じられた状態で、該蓋体（２）の表面の中央部に大きな押圧力が作用した場合、該押圧力は、図４に示す補強部材（５）に作用し、キャビネット半体（２３）の変形に伴って補強部材（５）は僅かに変位するが、該補強部材（５）は、フレーム（４）上の座（４３）（４４）によって受け止められるので、キャビネット半体（２３）が大きく変形することはない。このため、サブディスプレイ（３２）が直接荷重を受ける虞はなく、これによってサブディスプレイ（３２）の損傷が防止される。
【００１８】
又、前記押圧力がメインディスプレイ（３１）に作用することもないので、メインディスプレイ（３１）の損傷も同時に防止されることになる。
又、補強部材（５）は一方のキャビネット半体（２３）側に取り付けて、両キャビネット半体（２３）（２４）とディスプレイアセンブリ（３）を組み立てることによって、補強部材（５）がフレーム（４）のリブ（４１）の欠落部に配置される構成を採用しているので、組立工程が簡易である。
【００１９】
更に又、無荷重の状態で補強部材（５）と４つの座（４３）（４４）（４３）（４４）との間には僅かな隙間が形成されているので、スピーカの鳴動に伴ってキャビネット半体（２３）が僅かに振動したとしても、補強部材（５）が座（４３）（４４）に衝突することはなく、これによってビビリ音の発生が防止される。
【００２０】
図９〜図１１は、本発明に係る折り畳み式携帯電話機の他の実施例を表わしている。
図１０に示す如く、蓋体（２）は一対のキャビネット半体（２３）（２４）を具え、一方のキャビネット半体（２３）の内面に補強部材（５１）が設置されている。
該補強部材（５１）は、図９に示す如く断面が矩形に形成されており、フレーム（４）の表面には、補強部材（５１）の両端部を受け止めるための２つの座（４５）（４５）が突設されている。
図１１に示す如く、サブディスプレイ（３２）から伸びるフレキシブルリード（３３）は、補強部材（５１）とフレーム（４）の対向面間を通過して、フレーム（４）の第２領域へ向かって伸びている。
【００２１】
該折り畳み式携帯電話機においても、蓋体（２）の表面の中央部に大きな押圧力が作用した場合、該押圧力は補強部材（５）によって受け止められるので、キャビネット半体（２３）が大きく変形することはない。このため、サブディスプレイ（３２）が直接荷重を受ける虞はなく、これによってサブディスプレイ（３２）の損傷が防止される。
【図面の簡単な説明】
【図１】本発明に係る折り畳み式携帯電話機の蓋体を開いた状態の斜視図である。
【図２】本発明に係る折り畳み式携帯電話機の蓋体を閉じた状態の斜視図である。
【図３】蓋体の断面図である。
【図４】蓋体の要部を拡大して示す断面図である。
【図５】蓋体の分解斜視図である。
【図６】蓋体を構成するキャビネット半体の裏面を示す斜視図である。
【図７】ディスプレイアセンブリの斜視図である。
【図８】ディスプレイアセンブリの分解斜視図である。
【図９】本発明に係る折り畳み式携帯電話機の他の実施例を示す分解斜視図である。
【図１０】該携帯電話機における蓋体の断面図である。
【図１１】該蓋体の要部を拡大して示す断面図である。
【符号の説明】
（１）　本体
（１１）　操作キー
（２）　蓋体
（２１）　メインスクリーン
（２２）　サブスクリーン
（２３）　キャビネット半体
（２４）　キャビネット半体
（２５）　係止部
（３）　ディスプレイアセンブリ
（３１）　メインディスプレイ
（３２）　サブディスプレイ
（３３）　フレキシブルリード
（４）　フレーム
（４１）　リブ
（４３）　座
（４４）　座
（５）　補強部材
【図１】
2004096293.tif 000003
【図２】
2004096293.tif 000004
【図３】
2004096293.tif 000005
【図４】
2004096293.tif 000006
【図５】
2004096293.tif 000007
【図６】
2004096293.tif 000008
【図７】
2004096293.tif 000009
【図８】
2004096293.tif 000010
【図９】
2004096293.tif 000011
【図１０】
2004096293.tif 000012
【図１１】
2004096293.tif 000013
【手続補正書】
【提出日】平成14年12月11日(2002.12.11)
【手続補正１】
【補正対象書類名】明細書
【補正対象項目名】０００２
【補正方法】変更
【補正の内容】
【０００２】
【従来の技術】
図１及び図２に示す如く、折り畳み式携帯電話機においては、複数の入力キー（１１）が配列された本体（１）と、メインスクリーン（２１）及びサブスクリーン（２２）を具えた蓋体（２）とが、ヒンジ機構（１０）を介して互いに連結され、開閉が可能となっている。
メインスクリーン（２１）の内側にはメインディスプレイが配置される一方、サブスクリーン（２２）の内側にはサブディスプレイが配置されており、蓋体（２）を開いた状態ではメインスクリーン（２１）によって、蓋体（２）を閉じた状態ではサブスクリーン（２２）によって、入力文字の表示や着信の報知等、各種情報の表示が行なわれる。


【手続補正２】
【補正対象書類名】明細書
【補正対象項目名】００１０
【補正方法】変更
【補正の内容】
【００１０】
【発明の実施の形態】
以下、本発明を折り畳み式携帯電話機に実施した形態につき、図面に沿って具体的に説明する。
本発明に係る折り畳み式携帯電話機においては、図１及び図２に示す如く、複数の入力キー（１１）が配列された本体（１）と、メインスクリーン（２１）及びサブスクリーン（２２）を具えた蓋体（２）とが、ヒンジ機構（１０）を介して互いに連結され、本体（１）に対して蓋体（２）の開閉が可能となっている。